(57)【要約】      （修正有）【課題】裏面水分を速やかに排除できる発泡樹脂製の断熱ボードを提供する。【解決手段】裏面（Ｑ）側上角部および裏面側下角部のうち少なくとも一方に、左右両端部を連絡する横方向の排水用切欠部１１を設けるとともに、裏面側左端部および裏面側右端部のうち少なくとも一方に、上下両端部を連絡する縦方向の排水用切欠部１２を設ける。断熱ボード１０の裏面に、このような排水用切欠部を設けることにより、水分は、当該排水用切欠部１１、１２を通って断熱ボードの最下端に達し、屋外へ排出される。排水用切欠部の形状は、傾斜面、湾曲凹面、矩形凹面のうちのいずれか一を選択して形成する場合がある。断熱ボードの裏面に生ずる水分を、横方向、縦方向（下方）に移動させることが出来ればよいので、排水用切欠部の形状はとくに限定されない。【選択図】図１
0003160238.tif 000002
【実用新案登録請求の範囲】
【請求項１】
建築物の外壁に配設する発泡樹脂製の断熱ボードにおいて、
裏面側上角部および裏面側下角部のうち少なくとも一方に、左右両端部を連絡する横方向の排水用切欠部を設けるとともに、
裏面側左端部および裏面側右端部のうち少なくとも一方に、上下両端部を連絡する縦方向の排水用切欠部を設けることを特徴とする外壁用の断熱ボード。
【請求項２】
排水用切欠部の形状は、傾斜面、湾曲凹面、矩形凹面のうちのいずれか一を選択して形成することを特徴とする請求項１記載の外壁用の断熱ボード。
【請求項３】
上面および下面に、左右両端部を連絡する横方向の嵌合凹凸を備えることを特徴とする請求項１または請求項２のいずれか一項に記載の外壁用の断熱ボード。
【考案の詳細な説明】
【技術分野】
【０００１】
本考案は、建築物外壁用の断熱ボードに係り、とくに発泡樹脂製の断熱ボードにおける裏面の水切りを改善する構造に関する。
【背景技術】
【０００２】
一般木造建築物、ビルディング等において、美観（外観品質）を改善するとともに、冬期の暖房効率や夏期の冷房効率を向上させるため、外壁に発泡樹脂製の断熱ボードを貼設する外断熱方式の新築工法またはリフォーム工法が知られている（例えば特許文献１）。
【０００３】
発泡樹脂製の断熱ボードを用いた外断熱は、外壁の表面に断熱ボードを貼設する比較点簡単な施工によって、冷暖房効率を格段に改善させ、外観を随時変更できることから、家屋を取り壊して新築工事を行わなくても旧前家屋のまま居住性や美観品質を飛躍的に改善できる利点がある。施工コストも低く抑えることが出来るため、安定した需要が見込まれている。
【先行技術文献】
【特許文献】
【０００４】
【特許文献１】特開２００７−１３８４４３号公報
【考案の開示】
【考案が解決しようとする課題】
【０００５】
問題は、外壁に貼着した発泡樹脂製の断熱ボード裏面の水分である。
【０００６】
断熱ボードは、上下左右に隙間無く密接して配するし、あるいは必要に応じてコーキング処理を行うが、施工後の寒暖による膨張収縮による隙間の発生等に起因して、断熱ボードの裏面に水分が回り込むことが考えられる。また、僅かでも隙間が生じると、断熱ボードの裏面温度と外気温との差によって結露を生じることもあり得る。
【０００７】
このようにして生ずる可能性のある断熱ボード裏面の水分は、長時間滞留すると、躯体の外壁に使用される木製部材、モルタル、コンクリート等を劣化させ、外壁にダメージを与える可能性がある。
【０００８】
そこで、本考案の目的は、裏面に生じた水分を速やかに排除できる発泡樹脂製の断熱ボードを提供することにある。
【課題を解決するための手段】
【０００９】
前記目的を達成するため、本考案に係る外壁用の断熱ボードは、裏面側上角部および裏面側下角部のうち少なくとも一方に、左右両端部を連絡する横方向の排水用切欠部を設けるとともに、裏面側左端部および裏面側右端部のうち少なくとも一方に、上下両端部を連絡する縦方向の排水用切欠部を設ける（請求項１）。
【００１０】
断熱ボードの裏面に、このような排水用切欠部を設けることにより、水分は、当該排水用切欠部を通って断熱ボードの最下端に達し、屋外へ排出される。
【００１１】
排水用切欠部の形状は、傾斜面、湾曲凹面、矩形凹面のうちのいずれか一を選択して形成する場合がある（請求項２）。断熱ボードの裏面に生ずる水分を、横方向、縦方向（下方）に移動させることが出来ればよいので、排水用切欠部の形状はとくに限定されないが、成形のしやすさを考慮すれば、傾斜面、湾曲凹面、矩形凹面のうちのいずれか一を選択して形成することが好ましい。
【００１２】
断熱ボードは、上面および下面に、左右両端部を連絡する横方向の嵌合凹凸を備える場合がある（請求項３）。断熱ボードの上面、下面は平坦面でも構わないが、左右両端部を連絡する横方向の嵌合凹凸を設けることにより、上下の断熱ボードの配設作業が容易となり、施工後における位置ズレ（例えば断熱ボード端縁の浮き上がり）を確実に防止できる。
【考案の効果】
【００１３】
本考案に係る外壁用の断熱ボードによれば、断熱ボードの裏面に設けた排水用切欠部によって、断熱ボードの裏面に生じた水分を速やかに排除することが可能となる。
【図面の簡単な説明】
【００１４】
【図１】実施形態に係る外壁用の断熱ボードの一例を示す斜視図である。
【図２】実施形態に係る外壁用の断熱ボードの配設例を示す図である。
【図３】実施形態に係る断熱ボードの最下端部の配設状態を例示する図である。
【図４】実施形態に係る横方向の排水用切欠部を例示する接合部分の断面図である。
【図５】実施形態に係る縦方向の排水用切欠部を例示する接合部分の断面図である。
【図６】第二の実施形態に係る断熱ボードを例示する斜視図である。
【図７】本考案に係る縦方向の排水用切欠部の第二の実施形態を示す断面図である。
【図８】本考案に係る縦方向の排水用切欠部の第三の実施形態を示す断面図である。
【考案を実施するための形態】
【００１５】
図１は、本考案に係る外壁用の断熱ボードの一例を示すものである。この断熱ボード１０は、発泡樹脂製であり、符号Ｑで示す面を裏面としたときに、裏面側上角部および裏面側下角部のうち少なくとも一方、例えば、この実施形態では裏面側上角部に、左右両端部を連絡する横方向の排水用切欠部１１を設けるとともに、裏面側左端部および裏面側右端部のうち少なくとも一方、例えば、この実施形態では裏面側左端部および裏面側右端部の両方に、上下両端部を連絡する縦方向の排水用切欠部１２を設けてなる。
【００１６】
断熱ボード１０は、例えば、例えば、発泡ウレタン、発泡スチレン（例えば所謂ＥＰＳ）等のパネル材を用いることが出来る。好ましくは、押出し成型法等によって独立気泡を有する硬質発泡樹脂を用いる。発泡樹脂パネル１６は、肉厚２０ｍｍ以上のもの、好ましくは、肉厚５０〜１００ｍｍのものを使用する。横幅は、例えば９１０ｍｍ程度、上下寸法は、例えば１８２０ｍｍ程度のものを使用することが出来る。勿論、大きさは製造時に自由に設定できるので、適用個所に応じた寸法とすることが望ましい。
【００１７】
排水用切欠部１１、１２は、例えば、裏面Ｑの角部（上および左右）を、４５度の傾斜面となるよう切り欠くことによって成形する。いわゆる４５度の面取り成形である。
【００１８】
排水用切欠部１１、１２は、断熱ボード１０の裏面Ｑに生じる水分を下方へ案内して最下端部から壁外へ排出するためのものである。
【００１９】
従って、裏面側上角部に設ける排水用切欠部１１は、左右両端部、すなわち、この実施形態では、裏面側左端部と裏面側右端部に設けた排水用切欠部１２に連絡するように設ける。排水用切欠部１１の配設方向は、当然ながら横方向となる。
【００２０】
また、裏面側左端部および裏面側右端部の両方に設ける排水用切欠部１２は、上下両端部、すなわち、この実施形態では、裏面側上角部に設ける排水用切欠部１１と裏面側下角部に連絡するように設ける。排水用切欠部１２の配設方向は、当然ながら縦方向となる。
【００２１】
断熱ボード１０の裏面Ｑに生ずる水分量は多くはない。大きな地震や車両の衝突によって外壁面が激しい損傷を受けた時に大雨が降っているような特殊ケースを想定しない限り、４５度の傾斜面取りである排水用切欠部１１、１２は、角部を５ｍｍ×５ｍｍ程度切り欠いて成形したもの、つまり傾斜面の幅寸法を約７ｍｍ（５×√２ｍｍ）程度としておけば実用に耐える。
【００２２】
断熱ボード１０は、建物の外壁面（構造用面板等）に適宜の固定具、例えばワッシャー、ビス等（図示せず）を用いて固定配設する。好ましくは、図２に示すように、上段の断熱パネル１０と下段の断熱パネル１０とを、いわゆる千鳥（ジグザグ）に配設する。レンガの積み方で云う、いわゆる小口積みや長手積みのように、下段の断熱パネル１０を長手方向に１／２移動させて配設することが望ましい。上下段に配した断熱パネル１０の位置ズレを防止して、目地部分の隙間の拡大を抑えるためである。
【００２３】
このように断熱パネル１０を配した場合、図２において太線で示した部分に排水用切欠部１１、１２が位置するようになる。断熱パネル１０の裏面に生じた水分は、これらの排水用切欠部１１、１２を通って最下端部に移動し、例えば図３に示すように、基礎コンクリートＢの屋外側に設けた水切り板Ｓの上の隙間Ｐから屋外側に排出することが出来る。なお符号Ｒは、構造躯体である。
【００２４】
理解の容易のため、本実施形態に係る排水用切欠部１１の使用状態参考図を図４として例示し、本実施形態に係る排水用切欠部１2の使用状態参考図を図５として例示する。横方向に延びる排水用切欠部１１は、上下段の断熱ボード１０同士の関係で云えば下段の断熱ボード１０に存在し、縦方向に延びる排水用切欠部１２は、左右に隣接する断熱ボード１０同士の両端部に存在する。
【００２５】
従って、かかる断熱ボード１０によれば、裏面に生じた水分は、横方向の排水用切欠部１１と縦方向の排水用切欠部１２を通って、重力作用によって下方に移動して最下端部の断熱ボードの縦方向の排水用切欠部１２の下面から屋外へと排出されるため、断熱ボード１０の裏面に水分が滞留して躯体（とくに構造用面板）を劣化させる可能性を確実に低減できる。
【００２６】
一方において、排水用切欠部１１、１２は、外気を断熱ボード１０の裏面に案内する換気用経路（吸排気経路）として機能するため、断熱ボード１０の裏面の水分が少なければ、断熱ボード１０の裏面を常に湿気の少ない状態に保つことを可能とする。
【００２７】
図６は、本考案に係る断熱ボードの他の実施形態を示すものである。この断熱ボード２０は、上面および下面に左右両端部を連絡する横方向の嵌合凹凸２７を備えるものである。
【００２８】
この嵌合凹凸２７を設けることにより、断熱ボード２０を配設施工するときの上下の位置決めが容易となり、上下左右方向の位置ズレも生じにくくなる。とくに劣化による上下の継ぎ目の浮き上がりが生じにくくなり、長期にわたって外観品質を保証することが出来る。
【００２９】
継ぎ目部分に隙間が生じにくい構造となるので、雨水や融雪水が目地から裏面に侵入する可能性も抑えることが出来る。
【００３０】
目地からの雨水や融雪水の侵入を防止し、建築物の外観品質を高めるため、好ましくは、目地部分の表面には防水加工を施すことが望ましい。この防水加工は、例えば、目地に沿ってメッシュ（例えばグラスファイバーメッシュ等）を配し、当該メッシュ（目地部分）および断熱ボード２０の表面全体に防水性のある被覆材（ベースコート材、トップコート材）を設けて仕上げる。トップコート材（最終仕上げ材）は各種の着色や模様加工ができるので、施主の希望に応じた外観品質を得ることが出来る。
【００３１】
勿論、この断熱ボード２０にも、排水用切欠部２１、２２を設ける。排水用切欠部１１は、裏面側上角部に設け、排水用切欠部１２は、裏面側左端部と裏面側右端部に設ける。排水用切欠部２１は左右両端部を連絡するように横方向に延設してあり、排水用切欠部２２は上下両端部を連絡するように縦方向に延設してある点は、前記実施形態と同じである。
【００３２】
かかる断熱ボード２０によれば、上面および下面に横方向に延びる嵌合凹凸２７を設けたので、上下段の断熱ボード２０の接合性が向上し、上下左右への動きや浮き上がりを防止出来るとともに、目地（接合部分の隙間）からの雨水等の裏面への侵入を低減することが出来る。
【００３３】
断熱ボード２０の裏面に水分が生じても、排水用切欠部２１、２２を通して当該水分を壁外へ排出できるので、躯体劣化の可能性を低減させることが出来る。排水用切欠部２１、２２が寒気経路となって機能し、断熱ボード２０の裏面を乾燥状態へ導く作用も前記実施形態と同じである。
【００３４】
本考案に係る断熱ボードは、以上の実施形態のものに限定されない。例えば、排水用切欠部１１、１２、２１、２２は、４５度の面取り傾斜成形に限らず、いわゆる角面取り、丸面取り、銀杏面取りなど、角部を切欠成形するときの各種の成形パターンを用いることが出来る。
【００３５】
具体的に図示すると、排水用切欠部１１、１２、２１、２２の形状は、例えば、図７に示すような断面湾曲面であっても良いし、図８に示すような断面矩形面であっても良い。水分を壁外へ案内できる排水経路として機能すれば良いから、これらの形状は特に限定されない。
【００３６】
前記実施形態では、横方向の排水用切欠部１１、２１を上面に設ける旨説明したが、上面に代えて下面（裏面側下面）に設けても良いことは勿論である。また上面と下面の両方に横方向の排水用切欠部１１、２１を設けても良い。
【００３７】
前記実施形態では、横方向の排水用切欠部１１、２１を上面または／および下面に設け、縦方向の排水用切欠部１２、２２を左端または／および右端に設ける旨説明したが、その他の部分（例えば裏面中央等の適宜位置）に任意数の排水用切欠部１１、１２、２１、２２を設けてもよい。また、排水用切欠部１１、１２、２１、２２の幅（差し渡し寸法）は、４５度面取りの場合に限らず、どのような形状であっても最低限５〜１０ｍｍ程度に設定すれば実用に耐える。
【符号の説明】
【００３８】
１０、２０  断熱ボード
１１、１２、２１、２２  排水用切欠部
２７  嵌合凹凸
Ｂ  基礎コンクリート
Ｐ  隙間
Ｑ  裏面
Ｒ  構造躯体
Ｓ  水切り板
【図１】
0003160238.tif 000003
【図２】
0003160238.tif 000004
【図３】
0003160238.tif 000005
【図４】
0003160238.tif 000006
【図５】
0003160238.tif 000007
【図６】
0003160238.tif 000008
【図７】
0003160238.tif 000009
【図８】
0003160238.tif 000010